(57)【要約】【課題】公共の場所での使用や成長した子供、大人に対しても確実な動作指示制限を行える誤操作防止装置を提供すること。【解決手段】操作部８またはリモコン９の誤操作防止装置１０の動作指示制限手段１１を作動させて、運転、停止や設定変更等の動作指示に制限を加え、解除についてはリモコン９のみにより誤操作防止装置１０の解除手段１２で解除することができる。これにより、リモコン９を別の場所に保管しておくことで常時運転の脱臭装置の設定を故意または過失により変更することができなくすることが可能となる。【選択図】図２
2005233447.tif 000002
【特許請求の範囲】
【請求項１】
機器の動作指示を行う操作部を、前記機器の本体および前記機器を遠隔操作するリモコンとの両方に設けた機器において、前記機器の誤操作を防止するために、動作指示の全部もしくは一部を制限する動作指示制限手段と、前記動作指示制限手段による制限を解除する解除手段とを備え、前記解除手段は前記リモコンにのみ設けた誤操作防止装置。
【請求項２】
機器の動作指示を行う操作部を、前記機器の本体および前記機器を遠隔操作するリモコンとの両方に設けた機器において、前記機器の誤操作を防止するために、動作指示の全部もしくは一部を制限する動作指示制限手段と、前記動作指示制限手段による制限を解除する解除手段とを備え、前記動作指示制限手段および前記解除手段を前記リモコンのみに設けた誤操作防止装置。
【請求項３】
脱臭体と前記脱臭体に臭気を通気するファンと、前記脱臭体および前記ファンを内装した本体を備え、操作部を前記本体および遠隔操作用のリモコンとの両方に設けた脱臭装置において、前記脱臭装置の誤操作を防止するために、動作指示の全部もしくは一部を制限する動作指示制限手段と、前記動作指示制限手段による制限を解除する解除手段とを備え、前記解除手段は前記リモコンのみに設けた脱臭装置。
【請求項４】
脱臭体と前記脱臭体に臭気を通気するファンと、前記脱臭体および前記ファンを内装した本体を備え、操作部を前記本体および遠隔操作用のリモコンとの両方に設けた脱臭装置において、前記脱臭装置の誤操作を防止するために、動作指示の全部もしくは一部を制限する動作指示制限手段と、前記動作指示制限手段による制限を解除する解除手段とを備え、前記動作指示制限手段および前記解除手段を前記リモコンのみに設けた脱臭装置。
【請求項５】
動作指示制限手段による動作指示制限は、機器の異常時又は安全確保に必要な場合には、動作指示解除手段によらず優先的に動作指示制限を解除するようにした請求項１〜４のいずれか１項に記載の誤操作防止装置または脱臭装置。
【請求項６】
動作指示制限手段による動作指示制限は、機器の電源コードを抜いた時に、動作指示解除手段によらず優先的に動作指示制限を解除するようにした請求項１〜５のいずれか１項に記載の誤操作防止装置または脱臭装置。
【発明の詳細な説明】
【技術分野】
【０００１】
本発明は機器の誤操作を防止する誤操作防止装置およびそれを用いた脱臭装置に関するものである。
【背景技術】
【０００２】
従来の機器の動作指示を行う操作部を、前記機器の本体または前記機器を遠隔操作するリモコン、もしくはその両方に設けた機器において、誤操作防止装置は前記機器の本体またはリモコンに設けられており、動作指示の全部もしくは一部を制限する動作指示制限手段と、前記動作指示制限手段による制限を解除する解除手段とは、前記機器の本体または本体および前記機器を遠隔操作するリモコンとの両方、もしくはリモコンのみの場合はリモコンで可能であった。
【０００３】
また、誤操作防止装置自身はチャイルドロックの名称等で一般的に使用されている（例えば、特許文献１参照）。図３は前記特許文献１に示されたチャイルドロック付きリモコンで、リモコン１００にスライドスイッチ式のチャイルドロック２００が設けられている。また、その他のチャイルドロックの方法としては、ボタンの長時間押しや複数個のボタンの同時押しや、隠しスイッチ等の方法があり、チャイルドロック自身の誤操作防止がなされている。
【特許文献１】特許第３３８２９０５号公報
【発明の開示】
【発明が解決しようとする課題】
【０００４】
前記従来の構成では、本体側にて動作指示制限手段の解除ができると複雑な解除方法や機構を用いていても小さな子供に対してや、簡易的な誤操作防止手段としては有効であっても、公共の場所での使用や、成長した子供や大人に対しては確実な動作指示制限手段とはなっていないという課題を有していた。
【課題を解決するための手段】
【０００５】
前記従来の課題を解決するために本発明は、機器の動作指示を行う操作部を、機器の本体および機器を遠隔操作するリモコンとの両方に設けた機器において、動作制限を解除する解除手段をリモコンにのみ設ける、もしくは、動作制限を指示する動作制限指示手段と動作制限を解除する解除手段の両方をリモコンにのみ設け、機器本体では誤操作防止装置の解除がでず、リモコンを別の場所に保管しておけば機器本体での誤操作を完全に防ぐことがで、また、誤操作防止装置の解除が必要な場合リモコンを使用することで簡単に解除することができるようになる。
【発明の効果】
【０００６】
本発明によれば、誤操作防止解除はリモコンのみからしかできない構成なのでリモコンを別な場所で保管することにより確実な誤操作防止が実現できると同時に、リモコンを用いれば簡単に誤操作防止装置の操作ができる。
【発明を実施するための最良の形態】
【０００７】
第１の発明は、機器の動作指示を行う操作部を、機器の本体および前記機器を遠隔操作するリモコンとの両方に設けた機器において、機器の誤操作を防止するために、動作指示の全部もしくは一部を制限する動作指示制限手段と、動作指示制限手段による制限を解除する解除手段とを備え、解除手段は前記リモコンにのみ設けたもので、動作指示制限手段を本体またはリモコンにより行い、誤操作防止装置を作動させた状態でリモコンを別途保管しておけば、本体機器では動作指示制限手段を解除することができない。故意または誤操作で動作指示制限手段の作動した機器の設定変更をリモコンを持たない人ができない誤操作防止装置とすることができる。
【０００８】
第２の発明は、機器の動作指示を行う操作部を、機器の本体および機器を遠隔操作するリモコンとの両方に設けた機器において、機器の誤操作を防止するために、動作指示の全部もしくは一部を制限する動作指示制限手段と、動作指示制限手段による制限を解除する解除手段とを備え、動作指示制限手段および解除手段をリモコンのみに設けたもので、動作指示制限手段及び動作指示解除手段がリモコンのみにより行い、誤操作防止装置を作動させた状態でリモコンを別途保管しておけば、本体機器では動作指示制限手段を解除することができない。故意または誤操作で機器の設定変更をリモコンを持たない人ができない誤操作防止装置とすることができる。また、誤操作防止装置が作動していない本体機器に対して故意または誤操作で動作指示制限手段を本体機器から作動させることができない機器とすることができる。
【０００９】
第３の発明は、脱臭体と脱臭体に臭気を通気するファンと、脱臭体およびファンを内装した本体を備え、操作部を本体および遠隔操作用のリモコンとの両方に設け、脱臭装置の誤操作を防止するために、動作指示の全部もしくは一部を制限する動作指示制限手段と、動作指示制限手段による制限を解除する解除手段とを備え、解除手段はリモコンのみに設けたものであり、動作指示制限手段を本体またはリモコンにより行い、誤操作防止装置を作動させた状態でリモコンを別途保管しておけば、本体機器では動作指示制限手段を解除することができない、故意または誤操作で動作指示制限手段の作動した機器の設定変更をリモコンを持たない人ができない誤操作防止装置を持った脱臭装置とすることができる。特に脱臭装置では病院や介護施設での使用において、痴呆老人による誤使用等の可能性もあり、２４時間運転の多い脱臭装置においても正常運転を継続させることができる。
【００１０】
第４の発明は、脱臭体と脱臭体に臭気を通気するファンと、脱臭体およびファンを内装した本体を備え、操作部を本体および遠隔操作用のリモコンとの両方に設けた脱臭装置において、脱臭装置の誤操作を防止するために、動作指示の全部もしくは一部を制限する動作指示制限手段と、動作指示制限手段による制限を解除する解除手段とを備え、動作指示制限手段および解除手段を前記リモコンのみに設けたものであり、動作指示制限手段及び動作指示解除手段がリモコンのみにより行い、誤操作防止装置を作動させた状態でリモコンを別途保管しておけば、本体機器では動作指示制限手段を解除することができない脱臭装置とすることができ、また、誤操作防止装置が作動していない本体機器に対して故意または誤操作で動作指示制限手段を本体機器から作動させることができない脱臭装置とすることができる。
【００１１】
第５の発明は、第１〜第４のいずれかの発明の誤操作防止装置をもちいて、動作指示制限手段による動作指示制限は、機器の異常時又は安全確保に必要な場合には、動作指示解除手段によらず優先的に動作指示制限を解除するようにした脱臭装置であるり、リモコンがない状態において、急遽停止する必要が生じたり、設定の変更の必要が生じるような場合、自動的に設定を停止もしくは変更を行い安全側に動作指示を行うと共に、動作指示制限を同時に解除し自由に設定を変更することができる。
【００１２】
第６の発明は、第１〜第５のいずれかの発明の誤操作防止装置を用いて、動作指示制限手段による動作指示制限は、機器の電源コードを抜いた時に、動作指示解除手段によらず優先的に動作指示制限を解除するようにした脱臭装置であり、電源が抜かれた場合や停電した場合には動作指示制限が自動的に解除され、再び電源が投入されても動作指示制限により自動的に運転操作を開始するということを無くすことができる。また、リモコンがない状態で動作指示制限のかけられた機器または脱臭装置の設定を緊急に変更する場合にも、一旦電源コードを抜いて設定をし直すことができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態１における脱臭装置の透視側面図で、図２は、同脱臭装置及びリモコンの一部透視正面図である。
【００１５】
図１及び図２において、本体１に、空気の吸気口２と空気の吹出口３が設けられ、本体１には、吸気口２から吸引した空気を通すことで空気中に含まれる臭気を除去するハニカム状の脱臭体４と、空気を吸気口２から吸引し、吹出口３から吹出して空気を脱臭体４に還流させるファン５と、ファン等を制御する制御部６が備えられている。また、操作部８は制御部６に接続し、脱臭装置の全体の操作を行うもので、本体１の前面に設けてあり、リモコン９が別設されている。なお、図中の矢印は脱臭時の空気の流れを示す。
【００１６】
次に、上記のように構成された脱臭装置の動作について説明する。操作部８またはリモコン９より運転信号が入力されると制御部６より入力に応じて予め設定したシーケンスに基づきモータ７に動作信号が送られる。そして、モータ７の動作により回転したファン５は、発生した空気中の臭気を、本体１の吸気口２より吸気する。吸気された臭気は、本体１内の風路を通り脱臭体４を通過し脱臭される。
【００１７】
ここで、脱臭機は一般的に常時運転している場合が多く、運転中に設定が変更されたり、いたずらで停止させられると、十分な性能を発揮できないという状況が多く発生していた。操作部８とリモコン９にある誤操作防止装置１０はそのために設けられたもので、操作部８またはリモコン９の誤操作防止装置１０の動作指示制限手段１１を操作し、運転、停止や設定変更等の動作指示に制限を加えることができる。また、解除についてはリモコン９のみにより誤操作防止装置１０の解除手段１２を操作し、解除することができる。これにより、リモコン９を別の場所に保管しておくことで常時運転の脱臭装置の設定を故意または過失により変更することができなくすることが可能となる。また、誤操作防止装置１０の制限および解除、つまり動作指示制限手段１１および解除手段１２の操作をリモコン９のみにより行う設定としておくことで、本体１の制御部６から誤操作防止装置１０が作動していない場合の誤操作防止の制限をかけるという設定変更も防止することができる。
【００１８】
なお、この誤操作防止装置１０が働いている状態で本体の安全装置またはリセット動作が働いたとき、もしくは停電や電源コードが抜かれる等の電源が切られた場合には、動作制限等の誤操作防止状態は自動的に解除される。これにより、万一脱臭機に不具合が発生した場合やリモコンが手元にない場合の設定変更も電源をきることで可能となる。
【００１９】
このように、従来のチャイルドロックは操作が複雑もしくは操作に力が必要ということで小さな子供からの誤操作を防止していたものの、成長した子供や成人、特に高齢者は複雑な操作や力が必要な操作が可能であるため、効力を発揮できなかったが、本発明においては、脱臭機の操作部およびリモコンからは本体の誤操作防止装置の作動はできるが、解除はリモコンのみからしかできない構成とすることで、通常使用時にはリモコンが無ければ設定変更ができない高齢者用の誤操作防止装置を持った脱臭機とすることができる。また、脱臭機のリモコンのみからしか本体の誤操作防止装置の作動と解除ができない構成とすることができる。このような構成とすることで通常使用時にはリモコンが無ければ誤操作防止装置の設定や解除の設定変更ができないとともに、誤操作防止装置が設定されていない脱臭機に故意または誤って誤操作防止装置を作動させて通常の操作を妨げるような事も防ぐことのできる高齢者用の誤操作防止装置を持った脱臭機とすることができる。また、本発明では誤操作防止装置が働いている場合の設定は本体の安全装置またはリセット動作が働いたとき、もしくは電源コードが抜かれる等の電源が切られた場合に自動的に解除される構成となっている。これにより、万一脱臭機に不具合が発生した場合は設定が安全側に自動的に作動すると共に、その後の設定変更も可能となる。また、電源コードを抜いた場合や、停電により電源が一時的に切れた場合には誤操作防止装置の設定が解除され自由に設定変更を行うことが可能となる構成としている。これにより万一誤操作防止装置を設定した状態でリモコンが手元になくても、一時的に電源コードを抜くことで解除し、設定の変更を行うことができる構成とすることができるものである。
【００２０】
また、実施の形態１では本発明による脱臭機を用いた実施の形態を示したが、脱臭機だけでなく、機器の動作指示を行う操作部を、前記機器の本体および前記機器を遠隔操作するリモコンとの両方に設けた機器本体であれば、脱臭機と同様に機器の誤操作を防止するために、動作指示の全部もしくは一部を制限する動作指示制限手段と、前記動作指示制限手段による制限を解除する解除手段とを備え、前記解除手段は前記リモコンにのみ設けた誤操作防止装置もしくは、機器の誤操作を防止するために、動作指示の全部もしくは一部を制限する動作指示制限手段と、前記動作指示制限手段による制限を解除する解除手段とを備え、前記動作指示制限手段および前記解除手段を前記リモコンのみに設けた誤操作防止装置とすることで脱臭機と同様な誤操作防止装置の効果を得る構成とすることができる。
【産業上の利用可能性】
【００２１】
以上のように、本発明にかかる誤操作防止装置は、通常使用時にはリモコンが無ければ誤操作防止装置の設定や解除の設定変更ができない高齢者用の誤操作防止装置を持った機器とすることが可能となるので、公共の場所で長時間連続運転を行う機器、例えば脱臭機や空気清浄器、暖冷房器等の用途にも適用できる。
【図面の簡単な説明】
【００２２】
【図１】本発明の実施の形態１における脱臭装置の透視側面図
【図２】同脱臭装置及びリモコンの一部透視正面図
【図３】従来の動作指示制限手段をつけたリモコンの構成図
【符号の説明】
【００２３】
１  本体
４  脱臭体（吸着素子）
５  ファン
６  制御部
８  操作部
９  リモコン
１０  誤操作防止装置
１１  動作指示制限手段
１２  解除手段
【図１】
2005233447.tif 000003
【図２】
2005233447.tif 000004
【図３】
2005233447.tif 000005